(57)【要約】【課題】本発明は、薄型表示装置用外装キャビネットを高精度で簡単に成形加工することができる成形加工方法を提供することを目的とする。【解決手段】外装キャビネットの枠部及びカバー部に対応する部分１００ａ及び１００ｂが長手方向に沿って形成された金属製の加工材１００を所定の長さＬに切断する。切断された加工材１００のカバー部に対応する部分１００ｂの複数個所を切断してＶ字状の切欠き１００ｄを形成する。切欠き１００ｄに対向する個所を曲げ加工して枠状の外装キャビネットを成形する。【選択図】図５
2010266623.tif 000002
【特許請求の範囲】
【請求項１】
薄型表示装置の表示ユニットの外周を囲む枠部及び表示ユニットの縁部を覆うように当該枠部から内方に向かって延設されたカバー部を有する外装キャビネットの成形加工方法であって、前記枠部及び前記カバー部に対応する部分が長手方向に沿って形成された金属製の加工材の前記カバー部に対応する部分の複数個所を切り欠き、切り欠かれた部分の前記枠部に対応する部分を曲げ加工し、曲げ加工された加工材を用いて枠状の外装キャビネットを成形することを特徴とする外装キャビネットの成形加工方法。
【請求項２】
前記加工材は、金属材料を押出加工により長尺状に形成した後所定長さに切断して形成することを特徴とする請求項１に記載の成形加工方法。
【請求項３】
前記加工材は、金属材料をプレス加工して形成されることを特徴とする請求項１に記載の成形加工方法。
【請求項４】
前記加工材は、外装キャビネットの少なくとも三辺に対応するように曲げ加工されることを特徴とする請求項１から３のいずれかに記載の成形加工方法。
【請求項５】
請求項１から４のいずれかに記載の成形加工方法により成形された外装キャビネット。
【請求項６】
請求項５に記載の外装キャビネットを備えた薄型表示装置。
【発明の詳細な説明】
【技術分野】
【０００１】
本発明は、液晶ディスプレイ、プラズマディスプレイ、あるいは有機ＥＬ等のエレクトロルミネッセンス素子、発光ダイオード、蛍光表示管等の発光素子を用いたディスプレイといった表示ユニットを用いた薄型表示装置に用いられる外装キャビネットの成形加工方法に関する。
【背景技術】
【０００２】
上述した薄型表示装置は、近年製品開発の量産化が進み、世界的な規模で急速に普及している。こうした薄型表示装置では、上述した表示ユニットがフラットパネルに構成されてモジュール化されており、表示ユニットの前後にフロントキャビネット及びバックキャビネットといった外装キャビネットを取り付けて構成されている場合が一般的である。
【０００３】
フロントキャビネットは、製品の外観デザインを決める上で重要な部材であり、樹脂材料及び金属材料を用いて外観デザインに合わせて成形加工されている。
【０００４】
例えば、樹脂材料を成型して表面塗装することでキャビネットを製造することが行われている。また、ベース部材を樹脂材料により成型し、ベース部材の前面に金属材料からなる飾り板を取り付けることも提案されている。
【０００５】
こうした樹脂材料を用いる方法は、複雑な外観デザインにも対応することができるものの工程数が増加してコスト負担が大きく、歩留りも悪いといった課題がある。近年薄型表示装置の低価格化の傾向が大きくなっており、高コストの樹脂加工によるキャビネットの製造はこうした傾向に十分対応することができなくなっている。
【０００６】
金属材料を用いてキャビネットを製造する方法としては、例えば、特許文献１では、金属薄板を切断又は打ち抜き加工により切り出してキャビネットに成形加工する方法が記載されている。また、特許文献２では、アルミニウムの押出加工により形成された４個のフレーム部材を長方形に連結してフロントキャビネットを構成した点が記載れている。また、特許文献３では、ステンレス等の板材を打ち抜き加工した複数の構成部材を組み合わせて連結してフロントフレームを構成した点が記載されている。また、特許文献４では、ダイカスト加工により製造した構成部材を組み合わせて画像表示装置用の構造体を構成した点が記載されている。また、特許文献５では、薄型表示装置のフレームの構成部材を、押出成形加工により形成した長尺物を必要な長さで切断して枠状に組み立ててフレームを構成する点が記載されている。
【先行技術文献】
【特許文献】
【０００７】
【特許文献１】特開平９−２４７５８５号公報
【特許文献２】特開２００２−１９０９９７号公報
【特許文献３】特開２００２−２９０８７３号公報
【特許文献４】特開２００４−１９１９６９号公報
【特許文献５】特開２００６−３４３４３９号公報
【発明の概要】
【発明が解決しようとする課題】
【０００８】
上述した特許文献では、金属板を打ち抜き加工してフレームを構成する点が記載されているが、枠状に打ち抜き加工して製造することは無駄が多くなり、現実的ではない。また、枠状のフレームを分割した四辺のフレーム構成部材を打ち抜き加工してそれらを組み立ててフレームを構成すれば、金属板を無駄なく使用することができるが、構成部材の組立工程が必要になり、構成部材の接続部分の強度が低下しないように加工しなければならない。また、複数の構成部材を組み立てるため、組み立て後のフレームに製造誤差が生じやすくなり、薄型表示装置に高精度に組み付けることが難しいといった課題がある。
【０００９】
また、金属材料を押出加工又はダイカスト加工した構成部材を用いる場合についても、構成部材を組み立てて枠状のフレームに構成する際に製造誤差が生じやすく、高精度で形成されたフレームを得ることが難しい。
【００１０】
そこで、本発明は、薄型表示装置用外装キャビネットを高精度で簡単に成形加工することができる成形加工方法を提供することを目的とする。
【課題を解決するための手段】
【００１１】
本発明に係る外装キャビネットの成形加工方法は、薄型表示装置の表示ユニットの外周を囲む枠部及び表示ユニットの縁部を覆うように当該枠部から内方に向かって延設されたカバー部を有する外装キャビネットの成形加工方法であって、前記枠部及び前記カバー部に対応する部分が長手方向に沿って形成された金属製の加工材の前記カバー部に対応する部分の複数個所を切り欠き、切り欠かれた部分の前記枠部に対応する部分を曲げ加工し、曲げ加工された加工材を用いて枠状の外装キャビネットを成形することを特徴とする。さらに、前記加工材は、金属材料を押出加工により長尺状に形成した後所定長さに切断して形成することを特徴とする。さらに、前記加工材は、金属材料をプレス加工して形成されることを特徴とする。さらに、前記加工材は、外装キャビネットの少なくとも三辺に対応するように曲げ加工されることを特徴とする。
【発明の効果】
【００１２】
本発明は、上記のような構成を有することで、予め外装キャビネットの枠部及びカバー部に対応する部分を形成した加工材を用いて、カバー部分の複数個所に切欠きを形成して枠部を曲げ加工するので、外装キャビネットを組み立てる際の構成部材を最小限に抑えることができ、成形工程を簡略化して加工コストを低減させることが可能となる。
【００１３】
また、１つの加工材を曲げ加工するので、複数の構成部材を接続する必要がなく、また接続する際の製造誤差が生じることがなくなるので、精度よく外装キャビネットを成形加工することができる。さらに、複数の構成部材を接続する場合には接続部分が強度低下することが懸念されるが、本発明では１つの加工材を曲げ加工するので、曲げ加工した部分にも十分な強度を持たせることができ、外装キャビネット全体の強度が向上するようになる。そのため、薄型表示装置が大型化した場合にもキャビネット形状の変形を抑えて安定した状態で取り付けることができる。
【００１４】
また、加工材に外装キャビネットの枠部及びカバー部を高精度で成形しておけば、以後のカバー部の切欠き及び枠部の曲げ加工の際に高精度を維持した状態で成形加工することができるので、最終的に高精度の枠状の外装キャビネットに仕上げることが可能となる。
【００１５】
また、１つの加工材を曲げ加工して外装キャビネットを成形するので、外装キャビネットの外観デザインを切れ目のない連続したデザインに仕上げることができ、角部の形状についても曲面状に仕上げることが可能で、薄型表示装置のデザイン設計の自由度が大きくなる。外装キャビネットのカバー部の外表面に表面処理を行って装飾を施すことで、外装キャビネットを装飾板とすることもでき、従来のように樹脂フレームに飾り板を取り付けた場合と比較して部品点数を少なくしてさらに薄型化することが可能となる。
【００１６】
そして、加工材を押出加工又はプレス加工により形成することで、複雑な工程を要することなく高精度で外装キャビネットの枠部及びカバー部を形成することができる。
【図面の簡単な説明】
【００１７】
【図１】本発明に係る外装キャビネットを備えた薄型表示装置に関する概略斜視図である。
【図２】表示ユニットに関する分解斜視図である。
【図３】フロントキャビネットの角部に関する拡大図である。。
【図４】表示ユニットの組立状態に関する概略断面図である。
【図５】フロントキャビネットを成形加工する工程に関する説明図である。
【図６】フロントキャビネットの成形加工に関する変形例を示す概略構成図である。
【図７】フロントキャビネットの変形例に関する断面図である。
【図８】表示ユニットの組立状態の変形例に関する概略断面図である。
【発明を実施するための形態】
【００１８】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１９】
図１は、本発明に係る外装キャビネットを備えた薄型表示装置に関する概略斜視図である。薄型表示装置１は、表示ユニット２、スピーカユニット３及びスタンド４を備えている。表示ユニット２は、液晶表示パネル１０の周縁部にフロントキャビネット１１が取り付けられている。薄型表示装置１は、外部装置と接続するか又はテレビジョン放送により映像信号及び音声信号を受信し、受信した信号を公知の信号処理回路により処理して液晶表示パネル１０に映像を出力表示するとともにスピーカユニット３から音声を出力するようになっている。こうした映像表示処理及び音声出力処理は公知である。
【００２０】
図２は、表示ユニット２に関する分解斜視図である。液晶表示パネル１０は液晶表示体１０ａ及びバックライトユニット１０ｂからなり、液晶表示パネル１０の前側にフロントキャビネット１１が取り付けられ、後側にバックキャビネット１２が取り付けられる。
【００２１】
液晶表示パネル１０は、バックライトユニット１０ｂの周囲に取付孔が形成された複数の取付金具１０ｃが突設されている。
【００２２】
フロントキャビネット１１は、液晶表示パネル１０を囲むように枠状に形成されており、液晶表示パネル１０の外周を囲む所定幅の枠部１１ａを備えている。枠部１１ａの前側には、全周にわたって内方に延設された液晶表示パネル１０の周縁部を覆うカバー部１１ｂが形成されている。枠部１１ａの後側には、全周にわたって内方に延設された取付縁部１１ｃが形成されている。取付縁部１１ｃには、取付金具１０ｃに対応する位置にネジ穴が穿設されている。
【００２３】
フロントキャビネット１１の４つの角部１１ｄは、後述するように曲げ加工により成形されており、図３に示すように、内側から外側に向かって細長い切れ目１１ｅが形成されている。切れ目１１ｅは、後述するようにカバー部１１ｂを切り欠いた部分の端面が曲げ加工により近接した状態になって形成されている。切れ目１１ｅは、溶接により接着させてもよく、内側に当て板を接着させるようにしてもよい。
【００２４】
フロントキャビネット１１は、アルミニウム等の金属材料を成形加工して構成されており、枠部１１ａ及びカバー部１１ｂの外表面には、研磨、ブラスト、塗装、陽極酸化、染色、湿式メッキ、乾式メッキ等の表面処理が施されている。
【００２５】
バックキャビネット１２は、外周縁が取付縁部１２ａに形成されて、取付縁部１２ａで囲まれる部分が外方に膨出するように収容部１２ｂが湾曲形成されている。取付縁部１２ａには、取付金具１０ｃに対応する位置に取付孔１２ｃが穿設されている。
【００２６】
図４は、表示ユニット２の組立状態に関する概略断面図である。液晶表示パネル１０の取付金具１０ｃの取付孔に対して、前面側にフロントキャビネット１１の取付縁部１１ｃに形成されたネジ穴を位置合せし、後面側にバックキャビネット１２の取付縁部１２ａの取付孔１２ｃを位置合せする。そして、固定ネジ１３を取付孔１２ｃから挿入して取付縁部１１ｃのネジ穴に螺合して締め付け固定し、液晶表示パネル１０に対してフロントキャビネット１１及びバックキャビネット１２を両側から囲むように取り付ける。
【００２７】
フロントキャビネット１１のカバー部１１ｂの先端部１１ｆは、液晶表示パネル１０の前面側に密着するように保持されて、液晶表示パネル１０の外周縁部が全周にわたってフロントキャビネット１１により保護されるようになる。
【００２８】
図５は、フロントキャビネット１１を成形加工する工程に関する説明図である。まず、長尺状に形成された加工材１００をフロントキャビネット１１の外周の長さＬに対応した長さに切断する（図５（ａ））。加工材１００には、長手方向に枠部１１ａ、カバー部１１ｂ及び取付縁部１１ｃに対応する部分１００ａ、１００ｂ及び１００ｃが長手方向に形成されて断面コ字状に形成されている。加工材１００は、アルミニウム等の金属材料を押出加工により成形加工すればよい。なお、加工材１００は、帯状の板状体を折り曲げるようにプレス加工して成形加工してもよく、その場合には予め長さＬに板状体を切断してプレス加工すればよい。
【００２９】
切断した加工材１００は、カバー部に対応する部分１００ｂにおいて４個所に切欠き１００ｄを形成する（図５（ｂ））。切欠き１００ｄは、打ち抜き加工等によりＶ字状に切断して形成される。切欠き１００ｄの間の間隔は、フロントキャビネット１１の四辺の長さに対応して設定し、両端部の長さは、それぞれ一辺の長さの半分に設定する。
【００３０】
次に、切欠き１００ｄが形成された加工材１００対して、枠部に対応する部分１００ａの切欠き１００ｄに対向する箇所を曲げ加工する（図５（ｃ））。まず、Ｖ型のダイ１０１の上に切欠き１００ｄに対向する箇所を位置合せしてセットする。そして、上方からパンチ１０２により枠部に対応する部分１００ａを押してダイ１０１に沿うように曲げ加工を行う。その際に、点線で示すように、ほぼ９０度に枠部に対応する部分１００ａが曲げられて切欠き１００ｄの端面が近接した状態になる。以上の曲げ加工を４か所の切欠き１００ｄに対向する箇所で行う。
【００３１】
曲げ加工により加工材１００は枠状に形成されて、加工材１００の両側の端面１００ｅが当接した状態になる。端面１００ｅが当接した部分は、裏側から当て板を溶接により接着して固定し、フロントキャビネットが成形加工される（図５（ｄ））。
【００３２】
成形加工されたフロントキャビネット１１は、適宜表面処理が行われる。例えば、アルミニウム製の加工材を用いた場合には、まず研磨加工又はブラスト加工により表面状態を調整した後アルマイト加工等の下地処理を行い、下地処理された表面に電着塗装及び吹き付け塗装が施されて表面仕上げが行われる。
【００３３】
以上説明したように、フロントキャビネット１１を１つの加工材から成形加工することができるので、加工工程を簡略化できるとともに部品点数が最小限に抑えられて製造コストを低減することが可能となる。
【００３４】
図６は、フロントキャビネット１１の成形加工に関する変形例を示す概略構成図である。この例では、フロントキャビネット１１の三辺を上述した加工材１００を用いて成形加工し、残りの一辺には別の構成部材１４を用いている。構成部材１４の両端部は溶接等により加工材の両端部に固定すればよい。この場合でも、フロントキャビネット１１に用いる部材は２つで済み、製造コストを抑えることができる。
【００３５】
図７は、フロントキャビネット１１の変形例に関する断面図である。この例では、カバー部１１ｂと取付縁部１１ｃとの間にリブ１１ｇが立設されている。リブ１１ｇを設けることで、フロントキャビネット１１の強度を向上させるとともに、リブ１１ｇの先端が液晶表示パネル１０の側面に当接することでより安定した状態でフロントキャビネット１１を取り付けることができる。また、図７（ｂ）に示すように、枠部１１ａを後側に延設して幅を広げることでフロントキャビネット１１の強度を向上させるようにしてもよい。
【００３６】
図８は、表示ユニット２の組立状態の変形例に関する概略断面図である。この例では、液晶表示パネル１０のバックライトユニットにネジ穴を穿設しておき、そのネジ穴に位置合せしてフロントキャビネット１１の取付縁部１１ｃ及びバックキャビネット１２の取付縁部１２ａを重ね合わせてネジ１３により締め付け固定するようにしている。フロントキャビネット１１が液晶表示パネル１０の外周に密着した状態で取り付けることができるので、薄型表示装置全体のサイズをよりコンパクト化することが可能となる。
【符号の説明】
【００３７】
１    薄型表示装置
２    表示ユニット
３    スピーカユニット
４    スタンド
10    液晶表示パネル
11    フロントキャビネット
12    バックキャビネット
13    ネジ
14    構成部材
【図１】
2010266623.tif 000003
【図２】
2010266623.tif 000004
【図３】
2010266623.tif 000005
【図４】
2010266623.tif 000006
【図５】
2010266623.tif 000007
【図６】
2010266623.tif 000008
【図７】
2010266623.tif 000009
【図８】
2010266623.tif 000010